(57)【要約】【課題】計測機器間の計測値のばらつきを吸収してバイタルデータの精度の向上を図る。【解決手段】各計測機器ＤＴ１〜ＤＴｎからそれぞれ送信されたバイタルデータを、管理サーバＭＳＶ１，ＭＳＶ２において、補正値テーブル２２に予め記憶された計測機器の機種別のオフセット値をもとに補正し、この補正されたバイタルデータをデータベース２４に格納する。また、管理サーバＭＳＶ１，ＭＳＶ２及びＩＤ変換サーバＣＳＶにより、バイタルデータに付与された利用者ＩＤを管理サーバＭＳＶ１，ＭＳＶ２がそれぞれ個別に管理しているサーバ個別利用者ＩＤに変換し、この変換されたサーバ個別利用者ＩＤに関連付けてバイタルデータを格納する。【選択図】図２
2014006734.tif 000002
【特許請求の範囲】
【請求項１】
異機種を含む複数の計測機器と、これらの計測機器との間で通信ネットワークを介してデータ伝送を行う管理サーバとを具備し、
前記複数の計測機器は、利用者のバイタルデータを計測して、この計測されたバイタルデータを第１の利用者識別情報及び計測機器識別情報と共に送信する手段を備え、
前記管理サーバは、
前記複数の計測機器から送信された利用者のバイタルデータを、第１の利用者識別情報及び計測機器識別情報と共に、前記通信ネットワークを介してそれぞれ受信する手段と、
前記バイタルデータが受信された場合に、当該バイタルデータと共に受信された計測機器識別情報をもとに当該計測機器の機種に応じた補正データを生成し、この生成された補正データに基づいて前記受信されてバイタルデータを補正する手段と
を備えることを特徴とする健康情報管理システム。
【請求項２】
異機種を含む複数の計測機器と、これらの計測機器との間で中継機器を含む通信ネットワークを介してデータ伝送を行う管理サーバとを具備し、
前記複数の計測機器は、利用者のバイタルデータを計測して、この計測されたバイタルデータを第１の利用者識別情報及び計測機器識別情報と共に送信する手段を備え、
前記中継機器は、
前記複数の計測機器から送信された利用者のバイタルデータを、第１の利用者識別情報及び計測機器識別情報と共にそれぞれ受信する手段と、
前記バイタルデータが受信された場合に、当該バイタルデータと共に受信された計測機器識別情報をもとに当該計測機器の機種に応じた補正データを生成し、この生成された補正データに基づいて前記受信されてバイタルデータを補正する手段と、
前記補正されたバイタルデータを、前記第１の利用者識別情報及び計測機器識別情報と共に、前記管理サーバへ送信する手段と
を備えることを特徴とする健康情報管理システム。
【請求項３】
前記管理サーバとの間で前記通信ネットワークを介してデータ伝送が可能な変換サーバを、さらに具備し、
前記管理サーバは、
前記バイタルデータが受信された場合に、当該バイタルデータと共に受信された第１の利用者識別情報を、自己の管理サーバを識別する管理サーバ識別情報と共に前記変換サーバへ転送する手段をさらに備え、
前記変換サーバは、
前記管理サーバから転送された第１の利用者識別情報及び管理サーバ識別情報をもとに、当該第１の利用者識別情報を前記転送元の管理サーバが固有に管理する第２の利用者識別情報に変換し、この変換された第２の利用者識別情報を前記転送元の管理サーバへ返送する手段を備え、
前記管理サーバは、
前記変換サーバから返送された第２の利用者識別情報を受信し、この受信された第２の利用者識別情報と関連付けて、前記補正されたバイタルデータをメモリに格納する記憶制御手段を、さらに備えることを特徴とする請求項１又は２記載の健康情報管理システム。
【請求項４】
異機種を含む複数の計測機器と、これらの計測機器との間で通信ネットワークを介してデータ伝送を行う管理サーバとを具備するシステムで使用される健康情報管理方法であって、
前記複数の計測機器が、利用者のバイタルデータを計測して、この計測されたバイタルデータを第１の利用者識別情報及び計測機器識別情報と共に送信する過程と、
前記管理サーバは、前記複数の計測機器から送信された利用者のバイタルデータを、第１の利用者識別情報及び計測機器識別情報と共に、前記通信ネットワークを介してそれぞれ受信する過程と、
前記管理サーバは、前記バイタルデータが受信された場合に、当該バイタルデータと共に受信された計測機器識別情報をもとに当該計測機器の機種に応じた補正データを生成し、この生成された補正データに基づいて前記受信されてバイタルデータを補正する過程と
を具備することを特徴とする健康情報管理方法。
【請求項５】
異機種を含む複数の計測機器と、これらの計測機器との間で中継機器を含む通信ネットワークを介してデータ伝送を行う管理サーバとを具備するシステムで使用される健康情報管理方法であって、
前記複数の計測機器が、利用者のバイタルデータを計測して、この計測されたバイタルデータを第１の利用者識別情報及び計測機器識別情報と共に送信する過程と、
前記中継機器が、前記複数の計測機器から送信された利用者のバイタルデータを、第１の利用者識別情報及び計測機器識別情報と共にそれぞれ受信する過程と、
前記中継機器が、前記バイタルデータが受信された場合に、当該バイタルデータと共に受信された計測機器識別情報をもとに当該計測機器の機種に応じた補正データを生成し、この生成された補正データに基づいて前記受信されてバイタルデータを補正する過程と、
前記中継機器が、前記補正されたバイタルデータを、前記第１の利用者識別情報及び計測機器識別情報と共に、前記管理サーバへ送信する過程と
を備えることを特徴とする健康情報管理方法。
【請求項６】
前記システムが、前記管理サーバとの間で前記通信ネットワークを介してデータ伝送が可能な変換サーバをさらに具備する場合に、
前記管理サーバが、前記バイタルデータが受信された場合に、当該バイタルデータと共に受信された第１の利用者識別情報を、自己の管理サーバを識別する管理サーバ識別情報と共に前記変換サーバへ転送する過程と、
前記変換サーバが、前記管理サーバから転送された第１の利用者識別情報及び管理サーバ識別情報をもとに、当該第１の利用者識別情報を前記転送元の管理サーバが固有に管理する第２の利用者識別情報に変換し、この変換された第２の利用者識別情報を前記転送元の管理サーバへ返送する過程と、
前記管理サーバが、前記変換サーバから返送された第２の利用者識別情報を受信し、この受信された第２の利用者識別情報と関連付けて、前記補正されたバイタルデータをメモリに格納する過程と
を、さらに具備することを特徴とする請求項４又は５記載の健康情報管理方法。
【請求項７】
異機種を含む複数の計測機器との間で、通信ネットワークを介してデータ伝送を行う管理サーバであって、
前記複数の計測機器から送信される、利用者のバイタルデータと当該利用者を識別する第１の利用者識別情報と前記計測機器の識別情報を、前記通信ネットワークを介してそれぞれ受信する手段と、
前記バイタルデータが受信された場合に、当該バイタルデータと共に受信された計測機器識別情報をもとに、当該計測機器の機種に応じた補正データを生成し、この生成された補正データに基づいて前記受信されてバイタルデータを補正する手段と
を具備することを特徴とする管理サーバ。
【請求項８】
異機種を含む複数の計測機器と管理サーバとの間で、通信ネットワークを介してデータ伝送を行う中継機器であって、
前記複数の計測機器から送信される、利用者のバイタルデータと当該利用者を識別する第１の利用者識別情報と前記計測機器の識別情報をそれぞれ受信する手段と、
前記バイタルデータが受信された場合に、当該バイタルデータと共に受信された計測機器識別情報をもとに当該計測機器の機種に応じた補正データを生成し、この生成された補正データに基づいて前記受信されてバイタルデータを補正する手段と、
前記補正されたバイタルデータを、前記第１の利用者識別情報及び計測機器識別情報と共に、前記管理サーバへ送信する手段と
を具備することを特徴とする中継機器。
【請求項９】
請求項７記載の管理サーバ又は請求項８記載の中継機器に接続される管理サーバとの間で、前記通信ネットワークを介してデータ伝送が可能な変換サーバであって、
前記管理サーバから転送される、前記第１の利用者識別情報と管理サーバ識別情報を受信する手段と、
前記受信された第１の利用者識別情報を、前記転送元の管理サーバが固有に管理する第２の利用者識別情報に変換する手段と、
前記変換された第２の利用者識別情報を前記転送元の管理サーバへ返送する手段と
を具備することを特徴とする変換サーバ。
【請求項１０】
請求項７記載の管理サーバが具備する手段が行う処理を、当該管理サーバが備えるコンピュータに実行させるプログラム。
【請求項１１】
請求項８記載の中継機器が具備する手段が行う処理を、当該中継機器が備えるコンピュータに実行させるプログラム。
【請求項１２】
請求項９記載の変換サーバが具備する手段が行う処理を、当該変換サーバが備えるコンピュータに実行させるプログラム。
【発明の詳細な説明】
【技術分野】
【０００１】
この発明は、利用者のバイタルデータを計測機器により計測し、この計測されたバイタルデータをネットワークを介してサーバ装置に伝送して、記録管理する健康情報管理システムとこのシステムで使用される健康情報管理方法、管理サーバ、変換サーバ、中継機器及びプログラムに関する。
【背景技術】
【０００２】
我が国では、高齢化社会の到来とともに医療費が年々増加する状況にあり、医療費削減が国家的な課題となっている。特に、一旦糖尿病等の慢性疾患にかかると処置に要する費用が莫大なものとなり、症状が深刻化するにつれその経済的負担は増加する傾向にある。一例として、糖尿病が重篤化した際の必要措置である人工透析は、一人の患者あたり年間５００万円もの費用がかかるとされている。そのため、慢性疾患にかかる前の病気の予防や、慢性疾患にかかった後の重篤化防止が非常に重要になっている。
【０００３】
病気予防や疾病重篤化防止の対策の一つとして、血圧、脈拍、体重、体脂肪、歩数、血糖値、血中酸素濃度等のバイタルデータを利用者ごとに日々収集して、記録し管理する健康情報管理システムが提供されている。例えば、個人向けポータルサイトの付加サービスとして、健康情報管理サービスを提供するシステムが実用化されている（例えば、非特許文献１を参照）。
【０００４】
この種の健康情報管理システムでは、記録されたバイタルデータを個人が閲覧することによって利用者自らが生活改善を行うという基本的な利用パターンに加え、記録された各利用者のバイタルデータを医療従事者が共有することにより、医療従事者が利用者に適した生活指導プログラムや疾病重篤化防止施策を提案するといった、医療従事者と個人との相互作用によって利用者の健康増進を図る利用パターンがあり、その効果が期待されている。
【先行技術文献】
【非特許文献】
【０００５】
【非特許文献１】「ｇｏｏからだログ」、インターネット＜URL:http://karada.goo.ne.jp/＞
【発明の概要】
【発明が解決しようとする課題】
【０００６】
ところで、この種の健康情報管理システムを構成するためには、利用者側にてバイタルデータを計測する計測機器と、この計測機器により計測されたバイタルデータをサーバ装置へ転送するための中継機器を導入する必要がある。これらの計測機器や中継機器は、扱うデータの機微性を考慮すると、本来は個人個人が保有すべきものであるが、利用者が個人で保有するには高額ということもあり、一般には職場、医療機関、公共施設等に設置された機器を複数の利用者が共同利用する場合が多い。また、計測機器の選定にあたっては必ずしも特定ベンダの製品を使う必要はなく、データ伝送のためのフォーマット・プロトコルなどの一定仕様を満たす製品群の中から選定されるのが一般的である。
【０００７】
しかし、このようなシステムには以下のような課題がある。  
（１）計測機器間の計測値のばらつき
一般にバイタルデータ用の計測機器には、例えばメーカＡの血圧計は本来より高い値が出る等と云うように機種ごとに計測値にばらつきがある。このばらつきがあっても、利用者が常に同じ計測機器を使える環境にある場合には問題にならない。しかし、計測機器を複数の施設に設置してこれらの機器を複数の利用者間で共有するような状況下では、一人の利用者が常に同じ計測機器を使うとは限らず、別の施設に設置された計測機器を使ってバイタルデータ（血圧など）を計測することが想定される。このような場合、同一利用者であるにもかかわらず、計測に使用した機種により計測値が変化してしまい、この変化が利用者本来の体調変化を反映したものなのか、或いは機種間のばらつきに起因するものなのかが判別できない。
【０００８】
（２）利用者の特定
同様の健康情報管理サービスを提供するシステムが複数存在する場合、これらのシステムはそれぞれ利用者を独自の管理形態で管理している。このため、例えば同一の利用者が複数の健康情報管理サービスを利用する場合、利用者はシステムごとに利用者ＩＤを使い分ける必要があり、利用者ＩＤの管理が煩雑となる。
【０００９】
この発明は上記事情に着目してなされたもので、その第１の目的は、計測機器間の計測値のばらつきを吸収してバイタルデータの精度の向上を図った健康情報管理システム、健康情報管理方法、管理サーバ、中継機器及びプログラムを提供することにある。
【００１０】
第２の目的は、上記した計測機器間の計測値のばらつきを吸収した上で、利用者が複数の健康情報管理システムを併用する場合でも、複数の利用者識別情報を不要として管理の簡単化及び誤アクセスの防止を図った健康情報管理システム、健康情報管理方法、管理サーバ、変換サーバ、中継機器及びプログラムを提供することにある。
【課題を解決するための手段】
【００１１】
上記第１の目的を達成するためにこの発明の第１の観点は、異機種を含む複数の計測機器と、これらの計測機器との間で通信ネットワークを介してデータ伝送を行う管理サーバとを具備する健康情報管理システムにあって、上記複数の計測機器の各々により、利用者のバイタルデータを計測してこの計測されたバイタルデータを第１の利用者識別情報及び計測機器識別情報と共に送信する。これに対し上記管理サーバでは、上記複数の計測機器から送信された利用者のバイタルデータを、第１の利用者識別情報及び計測機器識別情報と共に受信し、このバイタルデータが受信された場合に当該バイタルデータと共に受信された計測機器識別情報をもとに当該計測機器の機種に応じた補正データを生成し、この生成された補正データに基づいて上記受信されてバイタルデータを補正するようにしたものである。
【００１２】
また上記第１の目的を達成するためにこの発明の第２の観点は、異機種を含む複数の計測機器と管理サーバとの間に中継機器が介在配置されている場合に、この中継機器において、上記複数の計測機器から送信された利用者のバイタルデータを受信した場合に、当該バイタルデータと共に受信された計測機器識別情報をもとに当該計測機器の機種に応じた補正データを生成して、この補正データをもとに上記受信されてバイタルデータを補正し、この補正されたバイタルデータを上記第１の利用者識別情報及び計測機器識別情報と共に上記管理サーバへ送信するようにしたものである。
【００１３】
したがって、第１及び第２の観点によれば、計測機器から送信されたバイタルデータは、管理サーバ或いは中継機器において計測機器の機種ごとのばらつきを吸収する補正が施される。このため、例えば一人の利用者が異なる場所に設置された機種の異なる計測機器により自身のバイタルデータを計測した場合でも、これらの計測機器間の計測値のばらつきは補正され、この結果バイタルデータに対する機種のばらつきの影響を排除して利用者の体調変化を高精度に判別することが可能となる。
【００１４】
上記第２の目的を達成するためにこの発明の第３の観点は、上記管理サーバとの間で上記通信ネットワークを介してデータ伝送が可能な変換サーバをさらに具備する。そして、上記管理サーバでは、上記バイタルデータが受信された場合に、当該バイタルデータと共に受信された第１の利用者識別情報を、自己の管理サーバを識別する管理サーバ識別情報と共に上記変換サーバへ転送する。これに対し上記変換サーバでは、上記管理サーバから転送された第１の利用者識別情報及び管理サーバ識別情報をもとに、当該第１の利用者識別情報を上記転送元の管理サーバが固有に管理する第２の利用者識別情報に変換し、この変換された第２の利用者識別情報を上記転送元の管理サーバへ返送する。管理サーバでは、上記変換サーバから第２の利用者識別情報が返送されると、この返送された第２の利用者識別情報と関連付けて、上記補正されたバイタルデータをメモリに格納するようにしたものである。
【００１５】
したがってこの第３の観点によれば、計測機器からバイタルデータと共に送信された利用者識別情報は、管理サーバごとに当該管理サーバが独自に使用する利用者識別情報に変換サーバにより変換される。このため、利用者が複数の健康情報管理システムを併用する場合でも、システムごとに複数の利用者識別情報を用意する必要がなくなり、これにより管理の簡単化及び誤アクセスの防止を図ることが可能となる。
【発明の効果】
【００１６】
すなわちこの発明の第１及び第２の観点によれば、計測機器間の計測値のばらつきを吸収してバイタルデータの精度の向上を図った健康情報管理システム、健康情報管理方法、管理サーバ、中継機器及びプログラムを提供することができる。
【００１７】
またこの発明の第３の観点によれば、上記した計測機器間の計測値のばらつきを吸収した上で、利用者が複数の健康情報管理システムを併用する場合でも、複数の利用者識別情報を不要として管理の簡単化及び誤アクセスの防止を図った健康情報管理システム、健康情報管理方法、管理サーバ、変換サーバ、中継機器及びプログラムを提供することができる。
【図面の簡単な説明】
【００１８】
【図１】この発明の第１の実施形態に係る健康情報管理システムの全体構成を示す構成図。
【図２】図１に示したシステムにおける管理サーバの機能構成を示すブロック図。
【図３】図１に示したシステムにおけるＩＤ変換サーバの機能構成を示すブロック図。
【図４】図２に示した管理サーバにおけるデータ受信処理動作を説明するための図。
【図５】図２に示した管理サーバにおけるデータ補正処理動作を説明するための図。
【図６】図２に示した管理サーバ及びＩＤ変換サーバにおける利用者ＩＤの変換処理動作を説明するための図。
【図７】図２に示した管理サーバにおけるデータ格納処理動作を説明するための図。
【図８】この発明の第２の実施形態に係る健康情報管理システムで使用される中継機器の機能構成を示すブロック図。
【発明を実施するための形態】
【００１９】
以下、図面を参照してこの発明に係わる実施形態を説明する。  
［第１の実施形態］
（構成）
図１は、この発明の第１の実施形態に係る健康情報管理システムの全体構成を示す構成図である。  
このシステムは、複数の計測機器ＤＴ１〜ＤＴｎと、複数の健康情報管理用の管理サーバＭＳＶ１，ＭＳＶ２を備え、これらの計測機器ＤＴ１〜ＤＴｎから管理サーバＭＳＶ１，ＭＳＶ２に対し、通信ネットワークＮＷ１、中継機器ＲＤ及び通信ネットワークＮＷ２を介してバイタルデータの伝送を可能にしたものである。またこのシステムはＩＤ変換サーバＣＳＶを備え、上記管理サーバＭＳＶ１，ＭＳＶ２とこのＩＤ変換サーバＣＳＶとの間で利用者ＩＤの変換処理のためのデータ転送を可能にしている。
【００２０】
計測機器ＤＴ１〜ＤＴｎは、例えば企業のオフィスや事業所内に分散配置されたもので、例えば血圧計や血糖値の測定器からなる。計測機器ＤＴ１〜ＤＴｎは、利用者の血圧や血糖値等のバイタルデータを計測し、この計測されたバイタルデータを計測機器の識別情報（計測機器ＩＤ）と共に上記通信ネットワークＮＷ１を介して中継機器ＲＤへ送信する。通信ネットワークＮＷ１としては、例えば企業のオフィスや事業所内に構築されたＬＡＮ（Local Area Network）が使用される。なお、計測機器ＤＴ１〜ＤＴｎには、異なるベンダ等が製作又は販売した複数種類の機種が含まれる。
【００２１】
中継機器ＲＤは、例えばルータやゲートウエイからなる。そして、上記計測機器ＤＴ１〜ＤＴｎから送信されたバイタルデータ及び計測機器ＩＤを受信すると、当該バイタルデータの送信元となる利用者の識別情報（利用者ＩＤ）と、転送先の管理サーバＭＳＶ１，ＭＳＶ２を識別するためのサーバＩＤを上記バイタルデータに付加し、これを計測データとして通信ネットワークＮＷ２を介して管理サーバＭＳＶ１，ＭＳＶ２へ転送する。通信ネットワークＮＷ２としてはＷＡＮ（Wide Area Network）が使用される。
【００２２】
管理サーバＭＳＶ１，ＭＳＶ２は例えばＷｅｂサーバからなり、以下のように構成される。図２はその機能構成を示すブロック図である。  
すなわち、管理サーバ装置ＭＳＶ１，ＭＳＶ２は、制御ユニット１と、記憶ユニット２と、通信ユニット３を備えている。  
通信ユニット３は、通信ネットワークＮＷ１，ＮＷ２で規定される通信プロトコルに従い、計測機器ＤＴ１〜ＤＴｎから送信されたバイタルデータ等を受信する。
【００２３】
記憶ユニット２は、ＨＤＤ等の大容量の記憶装置を備えたもので、この発明の第１の実施形態を実施するために必要な記憶領域として、受信データ記憶部２１と、補正値テーブル２２と、補正済データ記憶部２３と、データベース２４を備えている。
【００２４】
受信データ記憶部２１は、上記通信ユニット３により受信された計測データを保存するために用いられる。計測データには、計測機器ＤＴ１〜ＤＴｎから送信されたバイタルデータ及び計測機器ＩＤと、中継機器ＲＤにおいて付加された利用者ＩＤ及び管理サーバＩＤが含まれる。
【００２５】
補正値テーブル２２には、上記受信されたバイタルデータを補正するために使用する補正データが予め記憶されている。補正データは、計測機器ＤＴ１〜ＤＴｎごとに、その計測機器ＩＤに対しオフセット値を関連付けたものである。補正済データ記憶部２３は、補正済のバイタルデータを保存するために使用される。
【００２６】
データベース２４は、図７に示すように、データ種別テーブル２４１と、健康情報管理テーブル２４２とから構成される。データ種別テーブル２４１には、計測機器ＩＤに関連付けて、当該計測機器により計測されるバイタルデータの種別（血圧、血糖値等）を表すデータ種別コードが記憶されている。健康情報管理テーブル２４２には、サーバ個別利用者ＩＤに関連付けて、上記データ種別コードと補正済バイタルデータが記憶される。
【００２７】
制御ユニット１はコンピュータからなり、この発明の第１の実施形態を実施するために必要な制御機能として、データ受信制御部１１と、データ補正部１２と、ＩＤ変換要求部１３と、データ格納制御部１４を備えている。これらの制御機能は、何れも図示しないプログラムメモリに格納されたアプリケーション・プログラムを上記コンピュータに実行させることにより実現される。
【００２８】
データ受信制御部１１は、通信ユニット３において計測データが受信されるごとに、この受信された計測データに含まれる、バイタルデータ、計測機器ＩＤ、利用者ＩＤ及びサーバＩＤについて形式チェックを行い、形式が適正であれば上記受信された計測データを受信データ記憶部２１に保存させる処理を行う。
【００２９】
データ補正部１２は、上記受信データ記憶部２１からチェック済の計測データを読み出し、この計測データに含まれる計測機器ＩＤをキーに補正値テーブル２２を検索して補正用のオフセット値を読み出す。そして、上記計測データに含まれるバイタルデータを上記オフセット値をもとに補正し、この補正済のバイタルデータを上記計測データに含まれている計測機器ＩＤ、利用者ＩＤ及びサーバＩＤと共に補正済データ記憶部２２に保存させる処理を行う。
【００３０】
ＩＤ変換要求部１３は、上記補正値テーブル２２から利用者ＩＤ及びサーバＩＤを読み出し、これらのＩＤを含むＩＤ変換要求を通信ユニット３からＩＤ変換サーバＣＳＶに向け送信する。そして、ＩＤ変換サーバＣＳＶからサーバ個別利用者ＩＤが返送されると、この返送されたサーバ個別利用者ＩＤを上記補正済データ記憶部２３に格納されている対応する補正済バイタルデータ及び計測機器ＩＤと共に、データ格納制御部１４に渡す。
【００３１】
データ格納制御部１４は、上記ＩＤ変換要求部１３から渡された計測機器ＩＤをキーにデータ種別テーブル２４１を検索して当該計測機器に対応するデータ種別コードを読み出す。そして、上記ＩＤ変換要求部１３から渡されたサーバ個別利用者ＩＤと、上記読み出されたデータ種別コードをキーに健康情報管理テーブル２４２をアクセスして、当該健康情報管理テーブル２４２内の該当する記憶領域に、上記ＩＤ変換要求部１３から渡された補正済バイタルデータを格納する処理を行う。
【００３２】
ＩＤ変換サーバＣＳＶは例えばデータベースサーバからなり、以下のように構成される。図３はその機能構成を示すブロック図である。  
すなわち、ＩＤ変換サーバＣＳＶは、制御ユニット４と、ＩＤ変換テーブル５と、通信ユニット６を備えている。通信ユニット６は、通信ネットワークＮＷ２で規定される通信プロトコルに従い、上記管理サーバＭＳＶ１，ＭＳＶ２との間でデータ伝送を行う。ＩＤ変換テーブル５には、利用者ＩＤ及びサーバＩＤに関連付けて、サーバ個別利用者ＩＤが記憶されている。
【００３３】
制御ユニット４はコンピュータを使用したもので、この発明の第１の実施形態を実施するために必要な制御機能として、変換要求受信部４１と、ＩＤ変換処理部４２と、サーバ個別利用者ＩＤ返送部４３を備えている。  
変換要求受信部４１は、上記管理サーバＭＳＶ１，ＭＳＶ２から送信されたＩＤ変換要求を通信ユニット６を介して受信する処理を行う。  
ＩＤ変換処理部４２は、上記受信されたＩＤ変換要求に含まれる利用者ＩＤ及びサーバＩＤをキーにＩＤ変換テーブル５を検索し、このＩＤ変換テーブル５から対応するサーバ個別利用者ＩＤを読み出す処理を行う。  
サーバ個別利用者ＩＤ返送部４３は、上記読み出されたサーバ個別利用者ＩＤを要求元の管理サーバＭＳＶ１，ＭＳＶ２へ返送する処理を行う。
【００３４】
（動作）
次に、以上のように構成されたシステムによる健康情報管理動作を説明する。  
各計測機器ＤＴ１〜ＤＴｎにおいて利用者が例えば血圧の計測を行うと、計測機器ＤＴ１〜ＤＴｎでは上記血圧の測定値を表すバイタルデータと計測機器ＩＤが、例えば管理サーバＭＳＶ１を宛先として通信ネットワークＮＷ１へ送信される。このとき、上記バイタルデータには利用者の個別番号等を表すデータを付与するようにしてもよい。上記計測機器ＤＴ１〜ＤＴｎから送信されたバイタルデータと計測機器ＩＤは、通信ネットワークＮＷ１を介して中継機器ＲＤに伝送される。
【００３５】
中継機器ＲＤでは、上記伝送されたバイタルデータ及び計測機器ＩＤに対し、計測者である利用者を識別する利用者ＩＤと、転送先の管理サーバＭＳＶ１を識別するサーバＩＤがさらに付与される。そして、この利用者ＩＤ及びサーバＩＤがさらに付与されたバイタルデータは、計測データとして通信ネットワークＮＷ２へ送信される。この計測データは通信ネットワークＮＷ２を介して管理サーバＭＳＶ１に転送される。
【００３６】
（１）データ受信処理
上記計測データが転送されると、管理サーバＭＳＶ１では以下のようなデータ受信処理が行われる。図４はその処理内容を示す図である。  
すなわち、通信ユニット３で計測データが受信されると、制御ユニット１ではステップＳ１１１によりデータ受信制御部１１が起動され、このデータ受信制御部１１の制御の下で、上記受信された計測データに含まれる、バイタルデータ、計測機器ＩＤ、利用者ＩＤ及びサーバＩＤについて形式チェックが行われる。そして、このチェックにより形式が適正であれば、上記受信された計測データが受信データ記憶部２１に保存される。
【００３７】
（２）データ補正処理
上記計測データが保存されると、管理サーバＭＳＶ１では以下のようなデータ補正処理が行われる。図５はその処理内容を示す図である。  
すなわち、制御ユニット１ではステップＳ１２１によりデータ補正部１２が起動され、このデータ補正部１２の制御の下で、先ず上記受信データ記憶部２１から計測データが読み出される。そして、この計測データに含まれる計測機器ＩＤをキーに補正値テーブル２２が検索され、これにより計測機器の機種に対応する補正用オフセット値が読み出される。次に、ステップＳ１２２において、上記計測データに含まれるバイタルデータが上記オフセット値をもとに補正される。例えば、上記バイタルデータに対しオフセット値を加算することにより補正される。そして、この補正済のバイタルデータが、上記計測データに含まれている計測機器ＩＤ、利用者ＩＤ及びサーバＩＤと関連付けられた状態で補正済データ記憶部２２に保存される。
【００３８】
（３）ＩＤ変換処理
上記バイタルデータの補正処理が終了すると、管理サーバＭＳＶ１及びＩＤ変換サーバＣＳＶでは、利用者ＩＤを変換するための処理が以下のように行われる。図６はその処理内容を示す図である。
【００３９】
すなわち、制御ユニット１ではステップＳ１３１によりＩＤ変換要求部１３が起動され、このＩＤ変換要求部１３の制御の下で、上記補正値テーブル２２から利用者ＩＤ及びサーバＩＤが読み出され、これらのＩＤを含むＩＤ変換要求が通信ユニット３からＩＤ変換サーバＣＳＶへ送信される。
【００４０】
これに対しＩＤ変換サーバＣＳＶでは、上記ＩＤ変換要求が通信ユニット６で受信されると、このＩＤ変換要求が変換要求受信部４１からＩＤ変換処理部４２に渡される。ＩＤ変換処理部４２は、上記受信されたＩＤ変換要求に含まれる利用者ＩＤ及びサーバＩＤをキーとしてＩＤ変換テーブル５を検索し、このＩＤ変換テーブル５から対応するサーバ個別利用者ＩＤを読み出す。この読み出されたサーバ個別利用者ＩＤは、サーバ個別利用者ＩＤ返送部４３の制御の下で、通信ユニット６から要求元の管理サーバＭＳＶ１に返送される。
【００４１】
上記ＩＤ変換サーバＣＳＶからサーバ個別利用者ＩＤが返送されると、管理サーバＭＳＶ１では、ＩＤ変換要求部１３の制御の下で、上記返送されたサーバ個別利用者ＩＤが上記補正済データ記憶部２３に格納されている対応する補正済バイタルデータ及び計測機器ＩＤと共に、データ格納制御部１４に渡される。
【００４２】
（４）データ格納処理
上記ＩＤ変換要求部１３から補正済バイタルデータ、計測機器ＩＤ及びサーバ個別利用者ＩＤが渡されると、管理サーバＭＳＶ１では以下のようなデータ格納処理が行われる。図７はその処理内容を示す図である。
【００４３】
すなわち、制御ユニット１ではステップＳ１４１によりデータ格納制御部１４が起動される。そして、このデータ格納制御部１４の制御の下で、先ず上記ＩＤ変換要求部１３から渡された計測機器ＩＤをキーにしてデータ種別テーブル２４１が検索され、当該計測機器に対応するデータ種別コードが読み出される。次に、上記ＩＤ変換要求部１３から渡されたサーバ個別利用者ＩＤと、上記読み出されたデータ種別コードをキーにして健康情報管理テーブル２４２がアクセスされ、これにより当該健康情報管理テーブル２４２内の該当する記憶領域に、上記ＩＤ変換要求部１３から渡された補正済バイタルデータが格納される。この格納されたデータの一例を図７に示す。
【００４４】
（作用効果）
以上詳述したように第１の実施形態では、各計測機器ＤＴ１〜ＤＴｎからそれぞれ送信されたバイタルデータは、管理サーバＭＳＶ１，ＭＳＶ２において、補正値テーブル２２に予め記憶された計測機器の機種別のオフセット値をもとに補正され、この補正されたバイタルデータがデータベース２４に格納される。このため、例えば一人の利用者が異なる場所に設置された機種の異なる計測機器により自身のバイタルデータを計測した場合でも、これらの計測機器間の計測値のばらつきは補正される。したがって、データベース２４に格納された利用者のバイタルデータを、後日、利用者本人又は医療関係者が閲覧した場合に、機種間のばらつきの影響が排除されたバイタルデータに基づいて、利用者の体調変化を精度良く判断又は診断することが可能となる。
【００４５】
さらに第１の実施形態では、管理サーバＭＳＶ１，ＭＳＶ２においてバイタルデータが受信されると、管理サーバＭＳＶ１，ＭＳＶ２及びＩＤ変換サーバＣＳＶにより、バイタルデータに付与された利用者ＩＤが管理サーバＭＳＶ１，ＭＳＶ２がそれぞれ個別に管理しているサーバ個別利用者ＩＤに変換され、上記バイタルデータはこの変換されたサーバ個別利用者ＩＤに関連付けられて格納される。このため、利用者が複数の管理サーバＭＳＶ１，ＭＳＶ２を併用する場合でも、これらの管理サーバＭＳＶ１，ＭＳＶ２ごとに複数の利用者ＩＤを用意する必要がなくなり、これにより利用者のＩＤ管理に対する負荷を軽減すると共に、バイタルデータ閲覧時の管理サーバＭＳＶ１，ＭＳＶ２に対する誤アクセスを防止することが可能となる。
【００４６】
［第２の実施形態］
この発明の第２の実施形態は、バイタルデータの補正処理機能を中継機器に設けたものである。  
図８は、この発明の第２の実施形態に係る健康情報管理システムで使用される中継機器の機能構成を示すブロック図である。この実施形態の中継機器ＲＤは、制御ユニット７と、補正値テーブル８と、データ入力インタフェース９１と、データ出力インタフェース９２を備えている。
【００４７】
データ入力インタフェース９１は、計測機器ＤＴ１〜ＤＴｎから通信ネットワークＮＷ１を介して伝送された計測データを、通信ネットワークＮＷ１で規定される通信プロトコルに従い受信する機能を有する。データ出力インタフェース９２は、制御ユニット７から出力された計測データを、通信ネットワークＮＷ２で規定される通信プロトコルに従い、管理サーバＭＳＶ１，ＭＳＶ２に向けて通信ネットワークＮＷ２へ送信する機能を有する。
【００４８】
補正値テーブル８には、計測機器ＤＴ１〜ＤＴｎから送られたバイタルデータを補正するために使用する補正データが予め記憶されている。補正データは、計測機器ＤＴ１〜ＤＴｎごとに、その計測機器ＩＤに対しオフセット値を関連付けたものである。
【００４９】
制御ユニット７は例えばコンピュータを備えたもので、この第２の実施形態を実現するために必要な機能として、データ受信制御部７１と、データ補正部７２と、データ送信制御部７３を備えている。
【００５０】
データ受信制御部７１は、上記データ入力インタフェース９１を制御して、計測機器ＤＴ１〜ＤＴｎから送信された計測データを受信し、この受信データを取り込む。データ補正部７２は、上記受信データに含まれる計測機器ＩＤをキーとして補正値テーブル８から補正用のオフセット値を読み出す。そして、上記受信データに含まれるバイタルデータを上記オフセット値に基づいて補正する。データ送信制御部７３は、上記補正されたバイタルデータに、上記計測機器ＤＴ１〜ＤＴｎから送られた計測機器ＩＤと、中継機器ＲＤにおいて発行した利用者ＩＤ及びサーバＩＤを付与し、この各ＩＤが付与された補正済バイタルデータをデータ出力インタフェース９２から宛先となる管理サーバＭＳＶ１，ＭＳＶ２に向け送信する。
【００５１】
このような構成であるから、計測機器ＤＴ１〜ＤＴｎから送信されたバイタルデータ及び計測機器ＩＤを含む計測データが受信されると、中継機器ＲＤでは、上記受信された計測機器ＩＤをキーにして補正値テーブル８から機種別の補正用オフセット値が読み出され、このオフセット値により上記バイタルデータが補正される。そして、この補正済のバイタルデータが中継機器ＲＤから管理サーバＭＳＶ１，ＭＳＶ２へ送信される。
【００５２】
したがって、バイタルデータに含まれる、計測機器ＤＴ１〜ＤＴｎの機種間における計測値のばらつき成分は、当該バイタルデータが計測機器ＤＴ１〜ＤＴｎから管理サーバＭＳＶ１，ＭＳＶ２へ転送される過程において、中継機器ＲＤにより補正される。このため、計測機器ＤＴ１〜ＤＴｎ間に機種による計測値のばらつきがあっても、管理サーバＭＳＶ１，ＭＳＶ２は自サーバで特に補正処理を行わなくても、上記ばらつきが補正されたバイタルデータを格納することができる。
【００５３】
なお、第２の実施形態に係る健康情報管理システムも、管理サーバＭＳＶ１，ＭＳＶ２及びＩＤ変換サーバＣＳＶが、利用者ＩＤをサーバ個別利用者ＩＤに変換する機能を備えている。すなわち、中継機器ＲＤから補正済バイタルデータが受信されると、管理サーバＭＳＶ１，ＭＳＶ２は利用者ＩＤの変換要求をＩＤ変換サーバＣＳＶに転送する。この変換要求を受信するとＩＤ変換サーバＣＳＶは、送信元の利用者ＩＤを、管理サーバＭＳＶ１，ＭＳＶ２がそれぞれ個別に管理しているサーバ個別利用者ＩＤに変換し、この変換されたサーバ個別利用者ＩＤを要求元の管理サーバＭＳＶ１，ＭＳＶ２へ返送する。管理サーバＭＳＶ１，ＭＳＶ２は、上記サーバ個別利用者ＩＤを受信すると、先に中継機器ＲＤから受信して一時保存していた補正済バイタルデータを、上記変換されたサーバ個別利用者ＩＤに関連付けられてデータベース２４に格納する。
【００５４】
このため、利用者が複数の管理サーバＭＳＶ１，ＭＳＶ２を併用する場合でも、これらの管理サーバＭＳＶ１，ＭＳＶ２ごとに複数の利用者ＩＤを用意する必要がなくなり、これにより利用者のＩＤ管理に対する負荷を軽減すると共に、バイタルデータ閲覧時の管理サーバＭＳＶ１，ＭＳＶ２に対する誤アクセスを防止することが可能となる。
【００５５】
［他の実施形態］
なお、この発明は上記各実施形態に限定されるものではない。例えば、前記各実施形態では補正用オフセット値を予め補正値テーブル２２，８に記憶しておき、計測機器ＩＤをキーに補正値テーブル２２，８から該当する機種の補正オフセット値を読み出してバイタルデータを補正するようにした。しかし、計測機器の機種別に補正用の計算式を用意しておき、この計算式によりバイタルデータの値を補正するようにしてもよい。
【００５６】
また、上記補正処理を計測機器ＤＴ１〜ＤＴｎの機種別に行わずに、個々の計測機器ＤＴ１〜ＤＴｎについてそれぞれ行うようにしてもよい。これは、各計測機器ＤＴ１〜ＤＴｎの計測値に含まれる誤差を予め測定して補正値テーブルに記憶しておき、各計測機器ＤＴ１〜ＤＴｎから送信されたバイタルデータを、上記記憶された該当する誤差データをもとに補正することにより実現できる。計測機器ＤＴ１〜ＤＴｎの中には、同一機種であっても機器ごとに計測値間にばらつきを有する場合がある。しかし、上記のように計測機器ＤＴ１〜ＤＴｎ別に補正値の補正処理を行なうようにすると、計測機器ＤＴ１〜ＤＴｎ間で発生する計測誤差を補正して、より精度の高いバイタルデータを管理サーバＭＳＶ１，ＭＳＶ２に格納することが可能となる。
【００５７】
さらに、ＩＤ変換サーバＣＳＶの機能を各管理サーバＭＳＶ１，ＭＳＶ２のそれぞれ、或いはいずれかに設けるようにしてもよい。その他、管理サーバの種類や構成、中継機器の種類や構成、データ補正処理の処理手順と処理内容、利用者ＩＤ変換処理の処理手順と処理内容などについても、この発明の要旨を逸脱しない範囲で種々変形して実施可能である。
【００５８】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００５９】
ＤＴ１〜ＤＴｎ…計測機器、ＮＷ…通信ネットワーク、ＲＤ…中継機器、ＭＳＶ１，ＭＳＶ２…管理サーバ、ＣＳＶ…ＩＤ変換サーバ、１，４，７…制御ユニット、２…記憶ユニット、３，６…通信ユニット、５…ＩＤ変換テーブル、８…補正値テーブル、１１，７１…データ受信制御部、１２，７２…データ補正部、１３…ＩＤ変換要求部、１４…データ格納制御部、２１…受信データ記憶部、２２…補正値テーブル、２３…補正済データ記憶部、２４…データベース、４１…変換要求受信部、４２…ＩＤ変換処理部、４３…サーバ個別利用者ＩＤ返送部、７３…データ送信制御部、９１…データ入力インタフェース、９２…データ出力インタフェース。
【図１】
2014006734.tif 000003
【図２】
2014006734.tif 000004
【図３】
2014006734.tif 000005
【図４】
2014006734.tif 000006
【図５】
2014006734.tif 000007
【図６】
2014006734.tif 000008
【図７】
2014006734.tif 000009
【図８】
2014006734.tif 000010